(57)【要約】【課題】貫通孔にワイヤハーネスを挿入する挿入作業を、貫通孔の縁からワイヤハーネスを保護しつつも、作業者の負担を抑えて行うことができる保護治具を提供することを目的とする。【解決手段】板部材に設けられた貫通孔にワイヤハーネスを挿入する挿入作業に当たって、貫通孔の縁からワイヤハーネスを保護する保護治具１であって、各々が筒形状の周壁の一部であって周方向Ｄ１２に組み合わされて、貫通孔に挿入される筒状部１１を構成する２つの筒部分１１１と、２つの筒部分１１１における周方向Ｄ１２の配列の両端縁１１１ｂが接離するように、２つの筒部分１１１を開閉可能に連結するヒンジ部１５と、筒状部１１が貫通孔に挿入されたときに、当該貫通孔に対し筒状部１１を着脱自在に保持する保持部１２と、を備えている。【選択図】図２
2019050675.tif 000002
【特許請求の範囲】
【請求項１】
板部材に設けられた貫通孔にワイヤハーネスを挿入する挿入作業に当たって、前記貫通孔の縁から前記ワイヤハーネスを保護する保護治具であって、
各々が筒形状の周壁の一部であって周方向に組み合わされて、前記貫通孔に挿入される筒状部を構成する複数の筒部分と、
前記複数の筒部分における前記周方向の配列の両端縁が接離するように、当該複数の筒部分を開閉可能に連結するヒンジ部と、
前記筒状部が前記貫通孔に挿入されたときに、当該貫通孔に対し前記筒状部を着脱自在に保持する保持部と、
を備えたこと特徴とする保護治具。
【請求項２】
前記保持部が、
前記複数の筒部分のうち少なくとも１つから張出し、前記筒状部が前記貫通孔に挿入されたときに前記板部材における前記貫通孔の周辺部に重なる張出部と、
前記張出部において、前記貫通孔の前記周辺部に対する対向面に設けられ、当該周辺部に着脱可能に張り付く張付き部と、
を備えたものであること特徴とする請求項１に記載の保護治具。
【請求項３】
前記張付き部が、磁石であること特徴とする請求項２に記載の保護治具。
【請求項４】
前記筒状部が開く方向に前記複数の筒部分を付勢する付勢部を更に備えたこと特徴とする請求項１〜３のうち何れか一項に記載の保護治具。
【発明の詳細な説明】
【技術分野】
【０００１】
本発明は、板部材に設けられた貫通孔にワイヤハーネスを挿入する挿入作業に当たって、貫通孔の縁からワイヤハーネスを保護する保護治具に関するものである。
【背景技術】
【０００２】
従来、車両の製造作業において、金属製のボディパネルに開けられた貫通孔にワイヤハーネスを挿入する挿入作業が行われる。このとき、貫通孔の縁がワイヤハーネスを擦るといった事態は好ましいものではなく、このような擦れを抑制するための手法が提案されている（例えば、特許文献１又は２参照。）。特許文献１には、ワイヤハーネスをシート状の保護カバーで包んで貫通孔に挿入するという手法が提案されている。また、特許文献２では、ラッパ筒状の治具を貫通孔に挿入してその治具の内側にワイヤハーネスを挿入するという手法が提案されている。
【先行技術文献】
【特許文献】
【０００３】
【特許文献１】特開平１０−４２４３４号公報
【特許文献２】特開２０１５−１７３５３２号公報
【発明の概要】
【発明が解決しようとする課題】
【０００４】
ここで、特許文献１に記載の手法では、ワイヤハーネスの挿入前に保護カバーでワイヤハーネスを包んだり、挿入後に保護カバーをワイヤハーネスから取り外したりする作業が煩雑で作業者の負担となりがちである。また、特許文献２に記載の手法では、挿入前には、貫通孔にラッパ筒状の治具を挿入するだけよく作業者の負担は少ない。一方で、挿入後にラッパ筒状の治具をワイヤハーネスから取り外す作業は、ラッパ筒状の治具に設けられた細いスリットからワイヤハーネスを引っ張り出す作業となっており、その煩雑さは否めない。
【０００５】
従って、本発明は、上記のような問題に着目し、貫通孔にワイヤハーネスを挿入する挿入作業を、貫通孔の縁からワイヤハーネスを保護しつつも、作業者の負担を抑えて行うことができる保護治具を提供することを目的とする。
【課題を解決するための手段】
【０００６】
上記課題を解決するために、本発明の保護治具は、板部材に設けられた貫通孔にワイヤハーネスを挿入する挿入作業に当たって、前記貫通孔の縁から前記ワイヤハーネスを保護する保護治具であって、各々が筒形状の周壁の一部であって周方向に組み合わされて、前記貫通孔に挿入される筒状部を構成する複数の筒部分と、前記複数の筒部分における前記周方向の配列の両端縁が接離するように、当該複数の筒部分を開閉可能に連結するヒンジ部と、前記筒状部が前記貫通孔に挿入されたときに、当該貫通孔に対し前記筒状部を着脱自在に保持する保持部と、を備えたこと特徴とする。
【発明の効果】
【０００７】
本発明の保護治具によれば、貫通孔に筒状部を挿入して保持部で保持させた状態で内側にワイヤハーネスを通すことで、貫通孔の縁からワイヤハーネスを保護しつつワイヤハーネスの挿入作業を行うことができる。そして、筒状部が複数の筒部分とヒンジ部によって開閉可能に構成されることから、作業後には、簡単に筒状部を開いてワイヤハーネスから保護治具を取り外すことができる。このように、本発明の保護治具によれば、貫通孔にワイヤハーネスを挿入する挿入作業を、貫通孔の縁からワイヤハーネスを保護しつつも、作業者の負担を抑えて行うことができる。
【図面の簡単な説明】
【０００８】
【図１】本発明の一実施形態にかかる保護治具を示す図である。
【図２】図１に示されている保護治具の拡大図である。
【図３】図２に示されている保護治具の開かれた状態を示す図である。
【図４】図３に示されている開かれた状態の保護治具を、挿入方向Ｄ１１の先端側から見た図である。
【図５】図３に示されている開かれた状態の保護治具を、図中の矢印Ｖ１１方向から見た平面図である。
【図６】ワイヤハーネスの挿入作業における第１工程を示す模式図である。
【図７】ワイヤハーネスの挿入作業における第２工程を示す模式図である。
【図８】ワイヤハーネスの挿入作業における第３工程を示す模式図である。
【図９】ワイヤハーネスの挿入作業における第４工程を示す模式図である。
【図１０】図１〜図９に示されている保護治具を用いたワイヤハーネスの挿入作業と比較するための比較例を示す模式図である。
【発明を実施するための形態】
【０００９】
以下、本発明の一実施形態について説明する。
【００１０】
図１は、本発明の一実施形態にかかる保護治具を示す図である。
【００１１】
図１に示されている保護治具１は、車両における金属製のボディパネルＢＰ１に開けられた貫通孔ＢＰ１１にワイヤハーネスＷ１１を挿入する挿入作業に当たって、貫通孔ＢＰ１１の縁からワイヤハーネスＷ１１を保護する治具である。
【００１２】
保護治具１は、筒状部１１と、保持部１２と、環状把持部１３と、コネクタ保護シート１４と、を備え、コネクタ保護シート１４を除いて大部分を樹脂で形成された治具である。筒状部１１は、ワイヤハーネスＷ１１に先立って貫通孔ＢＰ１１に挿入される部位である。保持部１２は、筒状部１１が貫通孔ＢＰ１１に挿入されたときに、当該貫通孔ＢＰ１１に対し筒状部１１を着脱自在に保持する部位である。環状把持部１３は、作業者に手掛かりとして把持される部位である。
【００１３】
また、本実施形態では、ワイヤハーネスＷ１１が、ボディパネルＢＰ１における車内側から貫通孔ＢＰ１１に挿入される。このとき、ボディパネルＢＰ１の車外側には、防音材ＢＰ１２が貼付されている。コネクタ保護シート１４は、筒状部１１の、挿入方向Ｄ１１の先端側に取付けられた筒状の布製のシートである。ワイヤハーネスＷ１１の挿入作業の際に、ワイヤハーネスＷ１１のコネクタＷ１１１にこのコネクタ保護シート１４の内側を通らせるようにすることで、防音材ＢＰ１２を形成する繊維のコネクタＷ１１１への付着が抑制される。
【００１４】
ワイヤハーネスＷ１１の挿入作業では、まず、貫通孔ＢＰ１１に保護治具１が取り付けられ、その後にワイヤハーネスＷ１１が保護治具１の内側に通される。このとき、ワイヤハーネス１は、このワイヤハーネスＷ１１を貫通孔ＢＰ１１に保持させるためのグロメットＷ１１２が取り付けられた状態で保護治具１の内側に通される。そして、グロメットＷ１１２が保護治具１の近傍に達するまでワイヤハーネスＷ１１が挿入された段階で貫通孔ＢＰ１１から保護治具１が取り外される。その後、グロメットＷ１１２が貫通孔ＢＰ１１に固定されて、ワイヤハーネスＷ１１の挿入作業が終了する。この一連の手順については、後で別図を参照してもう一度説明する。
【００１５】
図２は、図１に示されている保護治具の拡大図である。この図２には、保護治具１が、ワイヤハーネスＷ１１の入口側である環状把持部１３の側から見た斜視図で示されている。本実施形態では、保護治具１の筒状部１１は、各々が筒形状の周壁の一部であって周方向Ｄ１２に組み合わされる２つの筒部分１１１で、図中の開閉方向Ｄ１３に開閉可能に構成されている。
【００１６】
図３は、図２に示されている保護治具の開かれた状態を示す図であり、図４は、図３に示されている開かれた状態の保護治具を、挿入方向Ｄ１１の先端側から見た図である。また、図５は、図３に示されている開かれた状態の保護治具を、図中の矢印Ｖ１１方向から見た平面図である。
【００１７】
本実施形態では、保護治具１の保持部１２が、２つの筒部分１１１それぞれの外周面１１１ａから張出した２つの張出部１２１を備えている。２つの張出部１２１は、筒状部１１が閉じられるとリングを形成する。そして、２つの張出部１２１の一端どうしを開閉可能に連結するヒンジ部１５が設けられている。このヒンジ部１５は、２つの張出部１２１の連結により、２つの筒部分１１１における周方向Ｄ１２の配列の両端縁１１１ｂが接離するように、これら２つの筒部分１１１を開閉方向Ｄ１３に開閉可能に連結する。また、本実施形態では、このヒンジ部１５の開閉軸１５１の近傍に、２つの筒部分１１１を、筒状部１１が開く開方向Ｄ１３１に付勢する付勢部としてトーションバネ１６が設けられている。
【００１８】
また、２つの張出部１２１それぞれにおける、貫通孔ＢＰ１１の周辺部に対する対向面１２１ａには、周辺部に着脱可能に張り付く張付き部として複数の磁石１２２が設けられている。
【００１９】
環状把持部１３は、各筒部分１１１の、挿入方向Ｄ１１の先端から各張出部１２１との間に間隙が開くように張出した２つの半円弧状把持部１３１から構成される。これら２つの半円弧状把持部１３１は、２つの張出部１２１と同様に、筒状部１１が閉じられるとリングを形成する。
【００２０】
また、コネクタ保護シート１４は、各筒部分１１１の、挿入方向Ｄ１１の先端側に取付けられた２つの半筒状のシート部分１４１で構成され、筒状部１１が閉じられると筒状となる。
【００２１】
以上、図１〜図５を参照して説明した保護治具１を用いた、ワイヤハーネスＷ１１の挿入作業について、以下に各作業段階を図示しながら説明する。
【００２２】
図６は、ワイヤハーネスの挿入作業における第１工程を示す模式図である。
【００２３】
この第１工程では、車両における金属製のボディパネルＢＰ１に開けられた貫通孔ＢＰ１１に、保護治具１が車内側から取り付けられる。この保護治具１の取付は、上記のトーションバネ１６の付勢力に抗して作業者が筒状部１１を閉じて、保持部１２の張出部１２１の磁石１２２が貫通孔ＢＰ１１の周辺部に張り付くまで筒状部１１を挿入することで行われる。一連の作業は、作業者が、半円弧状把持部１３１からなる環状把持部１３を掴んで行われる。
【００２４】
図７は、ワイヤハーネスの挿入作業における第２工程を示す模式図である。
【００２５】
第２工程では、作業者が、保護治具１の内側にワイヤハーネスＷ１１をハーネス挿入方向Ｄ１４に通す。ワイヤハーネスＷ１１は、ハーネス挿入方向Ｄ１４について、先端のコネクタＷ１１１から所定距離だけ離れた位置に、このワイヤハーネスＷ１１を貫通孔ＢＰ１１に保持するためのグロメットＷ１１２が取り付けられた状態で挿入される。この挿入時には、ボディパネルＢＰ１の車外側に貼付されている防音材ＢＰ１２（図１参照）を形成する繊維から、コネクタ保護シート１４によってコネクタＷ１１１が保護される。
【００２６】
図８は、ワイヤハーネスの挿入作業における第３工程を示す模式図である。
【００２７】
第３工程では、作業者が、ワイヤハーネスＷ１１をグロメットＷ１１２が保護治具１の近傍に達するまで挿入した段階で、保護治具１を貫通孔ＢＰ１１から取り外す。この取外しは、作業者が半円弧状把持部１３１からなる環状把持部１３を掴んで保護治具１を引き抜くだけの作業となる。引き抜かれた保護治具１は、トーションバネ１６の付勢力により自動的に開き、ワイヤハーネスＷ１１からも外れることとなる。
【００２８】
図９は、ワイヤハーネスの挿入作業における第４工程を示す模式図である。
【００２９】
第４工程では、保護治具１が取り外された貫通孔ＢＰ１１にグロメットＷ１１２が押し込まれて固定され、ワイヤハーネスＷ１１が貫通孔ＢＰ１１に保持される。この第４工程の終了を以て、ワイヤハーネスＷ１１の挿入作業が終了する。
【００３０】
図１０は、図１〜図９に示されている保護治具を用いたワイヤハーネスの挿入作業と比較するための比較例を示す模式図である。
【００３１】
図１０に示されている比較例では、ワイヤハーネスＷ５１が、布製の保護シート５１で包まれた状態で、車両のボディパネルＢＰ５の貫通孔ＢＰ５１に挿入される。この比較例では、保護シート５１が、ワイヤハーネスＷ５１に取り付けられた不図示のグロメットの近傍まで巻き付けられている。そして、このグロメットが貫通孔ＢＰ５１に達するまでワイヤハーネスＷ５１が保護シート５１ごと貫通孔ＢＰ５１に挿入される。挿入後には、ワイヤハーネスＷ５１から保護シート５１が取り外されて、グロメットが貫通孔ＢＰ５１に固定される。比較例では、ワイヤハーネスＷ５１の挿入前に保護シート５１でワイヤハーネスＷ５１を包んだり、挿入後に保護シート５１をワイヤハーネスＷ５１から取り外したりする作業が煩雑で作業者の負担となりがちである。
【００３２】
上述の実施形態の保護治具１では、貫通孔ＢＰ１に筒状部１１を挿入して保持部１２で保持させた状態で内側にワイヤハーネスＷ１１を通すことで、貫通孔ＢＰ１１の縁からワイヤハーネスＷ１１を保護しつつワイヤハーネスＷ１１の挿入作業を行うことができる。そして、筒状部１１を構成する２つの筒部分１１１がヒンジ部１５によって開閉可能に連結されることから、作業後には、簡単に筒状部１１を開いてワイヤハーネスＷ１１から保護治具１を取り外すことができる。このように、本実施形態の保護治具１によれば、図１０に示されている比較例等に比べて、貫通孔ＢＰ１１にワイヤハーネスＷ１１を挿入する挿入作業を、貫通孔ＢＰ１１の縁からワイヤハーネスＷ１１を保護しつつも、作業者の負担を抑えて行うことができる。
【００３３】
ここで、本実施形態の保護治具１では、保持部１２が、２つの筒部分１１１それぞれから張出した張出部１２１と、各張出部１２１に設けられ、貫通孔ＢＰ１１の周辺部に着脱可能に張り付く張付き部としての磁石１２２が設けられている。これにより、筒状部１１を貫通孔ＢＰ１１に挿入するだけで、張出部１２１に設けられた磁石１２２が貫通孔ＢＰ１１の周辺部に張り付いて保持される。このように、本実施形態の保護治具１によれば、良好な作業性の下でワイヤハーネスの挿入作業を行うことができる。
【００３４】
また、本実施形態の保護治具１では、張出部１２１に設けられた磁石１２２を貫通孔ＢＰ１１の周辺部に重ねるだけで筒状部１１が保持されるので、一層良好な作業性の下でワイヤハーネスＷ１１の挿入作業を行うことができる。
【００３５】
また、本実施形態の保護治具１では、２つの筒部分１１１を、筒状部１１が開く開方向Ｄ１３１に付勢する付勢部としてトーションバネ１６が設けられている。これにより、筒状部１１を貫通孔ＢＰ１１から抜き取るだけで、トーションバネ１６からの付勢力によって自然に筒状部１１が開かれるので、容易にワイヤハーネスＷ１１から保護治具１を取り外すことができる。本実施形態の保護治具１によれば、この点においても、良好な作業性の下でワイヤハーネスの挿入作業を行うことができる。
【００３６】
また、本実施形態の保護治具１では、２つの筒部分１１１それぞれに、作業者に手掛かりとして把持される半円弧状把持部１３１が設けられている。これにより、作業者は、半円弧状把持部１３１からなる環状把持部１３を把持することで容易に保護治具１を取り扱うことができる。本実施形態の保護治具１によれば、この点においても、良好な作業性の下でワイヤハーネスの挿入作業を行うことができる。
【００３７】
尚、以上に説明した実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明の保護治具の構成を具備する限り、勿論、本発明の範疇に含まれるものである。
【００３８】
例えば、上述した実施形態では、本発明にいう保護治具の一例として、コネクタ保護シート１４を備えた保護治具１が例示されている。しかしながら、本発明にいう保護治具はこれに限るものではなく、コネクタ保護シート１４を備えないものであってもよい。
【００３９】
また、上述した実施形態では、本発明にいう複数の筒部分の一例として、２つの筒部分１１１が例示されている。しかしながら、本発明にいう複数の筒部分は、これに限るものではなく、筒部分の具体的な数は任意に設定し得る。筒部分が３つ以上設けられる場合には、筒部分を２つずつ連結するようにヒンジ部分が複数設けられることとなる。
【００４０】
また、上述した実施形態では、本発明にいう保持部の一例として、２つの張出部１２１と各張出部１２１に設けられた磁石１２２とを備えた保持部１２が例示されている。しかしながら、本発明にいう保持部は、これに限るものではなく、筒状部を開く方向に付勢して貫通孔の内縁に各筒状部を押し付けることで筒状部を保持させる強力なバネ部材等であってもよい。
【００４１】
また、上述した実施形態では、本発明にいう張付き部の一例として磁石１２２が例示されている。しかしながら、本発明にいう張付き部は、これに限るものではなく、例えば貫通孔の周辺部に着脱可能に張り付く粘着テープ等であってもよい。
【００４２】
また、上述した実施形態では、本発明にいう張出部の一例として、２つの筒部分１１１それぞれから張出した２つの張出部１２１が例示されている。しかしながら、本発明にいう張出部はこれに限るものではない。本発明にいう張出部は、複数設けられた筒部分の少なくとも１つから張出したものであれば、その具体的な数や形状を問うものではない。
【００４３】
また、上述した実施形態では、本発明にいう把持部の一例として、２つの筒部分１１１それぞれから張出した２つの半円弧状把持部１３１が例示されている。しかしながら、本発明にいう把持部はこれに限るものではない。本発明にいう把持部は、複数設けられた筒部分の少なくとも１つに設けられて作業者の手掛かりになるものであれば、その具体的な数や形状を問うものではない。
【００４４】
また、上述した実施形態では、本発明にいう付勢部の一例としてトーションバネ１６が例示されている。しかしながら、本発明にいう付勢部はこれに限るものではなく、例えば板バネ等であってもよく、その具体的な付勢態様を問うものではない。
【符号の説明】
【００４５】
１    保護治具
１１  筒状部
１２  保持部
１３  環状把持部（把持部）
１４  コネクタ保護シート
１５  ヒンジ部
１６  トーションバネ（付勢部）
１１１  筒部分
１１１ａ  外周面
１１１ｂ  端縁
１２１  張出部
１２１ａ  対向面
１２２  磁石
１３１  半円弧状把持部（把持部）
１４１  シート部分
１５１  開閉軸
ＢＰ１    ボディパネル
ＢＰ１１  貫通孔
ＢＰ１２  防音材
Ｗ１１    ワイヤハーネス
Ｗ１１１  コネクタ
Ｗ１１２  グロメット
Ｄ１１    挿入方向
Ｄ１２    周方向
Ｄ１３    開閉方向
Ｄ１４    ハーネス挿入方向
Ｄ１３１  開方向
【図１】
2019050675.tif 000003
【図２】
2019050675.tif 000004
【図３】
2019050675.tif 000005
【図４】
2019050675.tif 000006
【図５】
2019050675.tif 000007
【図６】
2019050675.tif 000008
【図７】
2019050675.tif 000009
【図８】
2019050675.tif 000010
【図９】
2019050675.tif 000011
【図１０】
2019050675.tif 000012